(57)【要約】【課題】部品点数を増やすことなく内部での配線処理が簡単になり、また、配線された線材が振動や落下等の衝撃によって固定箇所から外れるおそれのない筺体を提供する。【解決手段】  複数の筺体部材１，２，３が結合されて箱状をなし、内部に線材Ｓが配線される筺体において、互いに結合される２つの筺体部材１，２の一方に、線材Ｓが挿入されるスリット１ｃ１を備えた線材保持部１ｃを設け、他方に２つの筺体部材１，２が結合された場合にスリット１ｃ１の開口端を閉塞する閉塞部を設けてある。線材保持部１ｃは、端縁にスリット１ｃ１が複数並設された板材であり、閉塞部は、複数のスリット１ｃ１の夫々に対応して板材の板面と略直交する方向に伸び、スリット１ｃ１に嵌入する複数の突条２ｃである。【選択図】図１
2011210875.tif 000002
【特許請求の範囲】
【請求項１】
複数の筺体部材が結合されて箱状をなし、内部に線材が配線される筺体において、
互いに結合される２つの筺体部材の一方に、線材が挿入されるスリットを備えた線材保持部を設け、他方に前記一方の筺体部材と結合した場合に前記スリットの開口端を閉塞する閉塞部を設けてあることを特徴とする筺体。
【請求項２】
前記線材保持部は、端縁に前記スリットが複数並設された板材で構成してあり、
前記閉塞部は、前記２つの筺体部材が結合された場合に複数の前記スリットの夫々に対応して前記板材の板面と略直交する方向に伸び、前記スリットに嵌入する複数の突条であることを特徴とする請求項１に記載の筺体。
【請求項３】
前記他方の筺体部材に、前記複数の突条の条方向と交差する方向に延設され、隣り合う突条同士を繋ぐ連繋部が設けてあり、該連繋部は、前記２つの筺体部材が結合された状態で前記板材に対向する位置から条方向に偏移していることを特徴とする請求項２に記載の筺体。
【請求項４】
前記線材保持部は、端縁に前記スリットが複数並設された板材で構成してあり、
前記閉塞部は、前記２つの筺体部材が結合された場合に前記板材の板面と略平行な方向に伸び、前記スリットの開口端に隣接する部材であることを特徴とする請求項１に記載の筺体。
【請求項５】
前記線材保持部は離隔して複数配置され、前記閉塞部は該複数の線材保持部のうちの一部に対して設けてあることを特徴とする請求項１〜４のいずれか１項に記載の筺体。
【請求項６】
請求項１〜５のいずれか１項に記載の筺体を備えたことを特徴とする電子機器。
【発明の詳細な説明】
【技術分野】
【０００１】
本発明は、複数の筺体部材が結合されて箱状をなし、内部に線材が配線される電子機器等の筺体、及び該筺体を備えた電子機器に関する。
【背景技術】
【０００２】
液晶テレビジョンなどの電子機器では、筺体内で例えば駆動回路からスピーカー等への信号線の配線を処理する場合に、不要輻射を防止し、高圧部分に触れないようにして性能及び安全距離を確保するために、ワイヤーホルダーを筺体内部の複数箇所に設けて線材を保持している。例えば特許文献１には、線材（フラットケーブル）を巻き付けて固定する複数のボス部が立設されたワイヤーホルダーをプリント基板に取り付け、さらに該プリント基板をキャビネットにはめ込み固定するようにしたフラットケーブル固定装置が記載されている。
【先行技術文献】
【特許文献】
【０００３】
【特許文献１】特開昭６２−１１０２７３号公報
【発明の概要】
【発明が解決しようとする課題】
【０００４】
従来では、筺体に取り付けたワイヤーホルダー、あるいは筺体に固定されるプリント基板等に取り付けたワイヤーホルダーに線材を保持していたため、別部品（ワイヤーホルダー）が必要であり、配線作業も面倒であった。また、特許文献１に記載のフラットケーブル固定装置では、複数のボス部に巻き付けて固定した線材が緩んだ場合には振動や落下等の衝撃で外れるおそれもある。
【０００５】
本発明は、上述したような事情に鑑みてなされたものであり、部品点数を増やすことなく内部での配線処理が簡単になり、また、配線された線材が振動や落下等の衝撃によって固定箇所から外れるおそれのない筺体、及び、該筺体を備えた電子機器を提供することを目的とする。
【課題を解決するための手段】
【０００６】
本発明に係る筺体は、複数の筺体部材が結合されて箱状をなし、内部に線材が配線される筺体において、互いに結合される２つの筺体部材の一方に、線材が挿入されるスリットを備えた線材保持部を設け、他方に前記一方の筺体部材と結合した場合に前記スリットの開口端を閉塞する閉塞部を設けてあることを特徴とする。
本発明にあっては、互いに結合される２つの筺体部材の一方に設けた線材保持部が備えるスリットに線材を挿入し、２つの筺体部材を結合すると、他方の筺体部材に設けた閉塞部が前記スリットの開口端を閉塞するので、線材保持部のスリットに保持されている線材は閉塞部によってスリットから外れることが防止される。
【０００７】
本発明に係る筺体は、前記線材保持部は、端縁に前記スリットが複数並設された板材で構成してあり、前記閉塞部は、前記２つの筺体部材が結合された場合に複数の前記スリットの夫々に対応して前記板材の板面と略直交する方向に伸び、前記スリットに嵌入する複数の突条であることを特徴とする。
本発明にあっては、前記線材保持部を構成する板材の端縁に並設された複数のスリットに線材を挿入し、２つの筺体部材を結合すると、複数のスリットの夫々に対応して前記板材の板面と略直交する方向に伸びる複数の突条が対応するスリットに嵌入するので、スリットに保持されている線材のスリットからの外れが一層有効に防止される。
【０００８】
本発明に係る筺体は、前記他方の筺体部材に、前記複数の突条の条方向と交差する方向に延設され、隣り合う突条同士を繋ぐ連繋部が設けてあり、該連繋部は、前記２つの筺体部材が結合された状態で前記板材に対向する位置から条方向に偏移していることを特徴とする。
本発明にあっては、前記複数の突条の条方向と交差する方向で隣り合う突条同士を同方向に延設された連繋部によって繋いでいるので、複数の突条の間の位置関係が変化せず、また、連繋部は２つの筺体部材が結合された状態で前記板材に対向する位置から条方向に偏移しているので、連繋部が板材に衝突することもなく、各突条を対応するスリットに確実に嵌入することができる。
【０００９】
本発明に係る筺体は、前記線材保持部は、端縁に前記スリットが複数並設された板材で構成してあり、前記閉塞部は、前記２つの筺体部材が結合された場合に前記板材の板面と略平行な方向に伸び、前記スリットの開口端に隣接する部材であることを特徴とする。
本発明にあっては、前記線材保持部を構成する板材の端縁に並設された複数のスリットに線材を挿入し、２つの筺体部材を結合すると、スリットの開口端に部材が隣接するので、スリットに保持されている線材のスリットからの外れが防止される。
【００１０】
本発明に係る筺体は、前記線材保持部は離隔して複数配置され、前記閉塞部は該複数の線材保持部のうちの一部に対して設けてあることを特徴とする。
本発明にあっては、離隔配置された複数の線材保持部の各スリットに線材が順次挿入されて保持され、閉塞部を設けた一部の線材保持部では閉塞部によって線材がスリットから外れないように規制される。その結果、複数の線材保持部によって線材を所定の配線方向に配線するように保持しつつ、要所となる線材保持部の箇所で閉塞部によって線材の外れを確実に防止することができる。
【００１１】
本発明に係る電子機器は、前記筺体を備えたことを特徴とする。
本発明にあっては、筺体内に配線される線材が２つの筺体部材の一方に設けた線材保持部が備えるスリットに保持されるとともに、線材は閉塞部によってスリットからの外れが防止される。
【発明の効果】
【００１２】
本発明によれば、互いに結合される２つの筺体部材の一方に設けた線材保持部のスリットと該スリットの開口端を閉塞するように他方の筺体部に設けた閉塞部とによって線材を保持するので、筺体部材以外に線材保持のための別部品が不要であり、部品点数を増やすことなく筺体内部での配線処理が簡単になり、また、筺体内に配線された線材が振動や落下等の衝撃によって固定箇所から外れるおそれのない筺体、及び、該筺体を備えた電子機器が提供される。
【図面の簡単な説明】
【００１３】
【図１】本発明の実施の形態１に係る筺体を備えた表示装置の一部を示す断面図である。
【図２】図１に示す筺体を構成する筺体部材の斜視図である。
【図３】図２に示す筺体部材の一部を拡大した斜視図である。
【図４】図１に示す筺体を構成する他の筺体部材の斜視図である。
【図５】図４に示す筺体部材の前側正面図である。
【図６】図２に示す筺体部材に線材を保持した状態の斜視図である。
【図７】図１のＶＩＩ−ＶＩＩ線における模式的断面図である。
【図８】本発明の実施の形態２に係る筺体の主要部を示す模式的断面図である。
【図９】図８のＩＸ−ＩＸ線における断面図である。
【図１０】本発明の実施の形態２に係る筺体の変形例を示す模式的断面図である。
【発明を実施するための形態】
【００１４】
以下、本発明に係る筺体の実施の形態について表示装置の筺体である場合を例に図面に基づいて詳述する。
実施の形態１
図１は本発明の実施の形態１に係る筺体を備えた表示装置の一部を示す断面図、図２は図１に示す筺体を構成する筺体部材の斜視図、図３は図２に示す筺体部材の一部を拡大した斜視図、図４は図１に示す筺体を構成する他の筺体部材の斜視図、図５は図４に示す筺体部材の前側正面図、図６は図２に示す筺体部材に線材を保持した状態の斜視図、図７は図１のＶＩＩ−ＶＩＩ線における模式的断面図である。
【００１５】
本発明に係る筺体を含む表示装置は、前側に表示面１０ａを有し、矩形板状をなす表示パネル１０と、表示パネル１０の後側を支持する矩形状の枠体１１と、表示パネル１０の前側の周縁部を枠体１１に押し付けて保持する保持枠１２と、表示パネル１０の後方側に配置され、表示パネル１０の大きさに対応するサイズの光学シート１３及び拡散板１４と、照明ランプ（不図示）及び反射シート１５ａを内部に有し、光学シート１３及び拡散板１４に向けて照明光を投射するバックライト部１５等を備えている。
【００１６】
表示パネル１０の周縁部の前側を覆う額縁部１ａを有し、環状の矩形枠をなす前キャビネット１と、前キャビネット１の外周端部１ｂの下側後部に嵌め込まれる横長状の中間キャビネット２と、中間キャビネット２を間に挟んだ状態で前キャビネット１の外周端部１ｂに連結され、後方側を覆う後キャビネット３とが設けられ、該キャビネット１，２，３が結合されて箱状の筺体をなす。キャビネット１，２，３の内部に、表示パネル１０、枠体１１、保持枠１２、光学シート１３、拡散板１４、バックライト部１５等が収容されている。各キャビネット１，２，３は合成樹脂の一体成形によって作製されている。
【００１７】
前記枠体１１は、表示パネル１０の周縁部の後側に位置する環板部１１ａと、該環板部１１ａの外周側に連なる筒状部１１ｂとを有している。筒状部１１ｂの前端面には周方向に間隔を置いて、複数の突起１１ｂ１が設けられている。
【００１８】
前記保持枠１２は、表示パネル１０の周縁部の前側に位置する前板部１２ａと、該前板部１２ａの外周側に連なり、前後に屈曲しつつ枠体１１の筒状部１１ｂの前端面に沿うように伸びた中間部１２ｂと、中間部１２ｂの外周端部から後方へ屈曲した側板部１２ｃとを有し、断面形状が略Ｌ字形に形成してある。中間部１２ｂには前記突起１１ｂ１の位置に対応して複数の貫通孔１２ｂ１が周方向に離隔して開設されている。
【００１９】
保持枠１２の複数の貫通孔１２ｂ１に夫々枠体１１の突起部１１ｂ１を挿通させた状態で不図示の取付手段で保持枠１２と枠体１１とを結合することにより、表示パネル１０の後側が枠体１１に支持され、表示パネル１０の前側の周縁部が保持枠１２に保持される。
【００２０】
バックライト部１５は、箱型のシャーシ１５ｂを備え、図示しない取付手段にて枠体１１をシャーシ１５ｂの周縁部に取り付け、光学シート１３及び拡散板１４の周縁部をシャーシ１５ｂの開口部に押し付けて保持する取付枠（不図示）を枠体１１及びシャーシ１５ｂの間に挟着してある。尚、バックライト部１５は、図示しない取付手段で後キャビネット３に取り付け支持している。
【００２１】
前キャビネット１の周縁部の内面全周に、後方へ突出したボス部１ｄが間隔を隔てて複数設けてある。ボス部１ｄには後方に開口した取付穴１ｄ１が形成してある。
【００２２】
中間キャビネット２は、縦板部２ａと該縦板部２ａの下端部で前方へ屈曲した下板部２ｂとを有している。縦板部２ａは、前キャビネット１のボス部１ｄの先端部に外嵌される筒部２ａ１を有し、該筒部２ａ１には取付穴１ｄ１に対応した貫通孔２ａ２が形成してある。
【００２３】
後キャビネット３の周縁部に、前キャビネット１のボス部１ｄの位置に対応して前方へ突出した複数の筒部３ａが設けられ、各筒部３ａにはボス部１ｄの取付穴１ｄ１に対応した貫通孔３ａ１が開設してある。長ネジ４を貫通孔３ａ１及び貫通孔２ａ２を通して取付穴１ｄ１にネジ込むことにより、前キャビネット１と、中間キャビネット２と、後キャビネット３とが結合される。
【００２４】
中間キャビネット２の縦板部２ａの中央及び左右両端側の３箇所には、横方向に沿った条方向を有し、前方に突出した複数の突条２ｃと、縦方向に沿って隣り合う突条２ｃの間を繋ぐように延設され、上下の突条２ｃより更に上下（又は下の突条２ｃより下方）にはみ出した板状の連繋部２ｄとを備えたリブＲ１，Ｒ２，Ｒ３が設けてある。連繋部２ｄの先端位置は突条２ｃの先端位置と同一である。
【００２５】
前キャビネット１の下部内面に、上下方向に沿った板面を有し、後方へ突出した板材１ｃが横方向に間隔を隔てて複数設けてある。各板材１ｃの後方側の端縁には上下方向に複数のスリット１ｃ１が並設されている。複数の板材１ｃのうち、中央の１箇所の板材１ｃに前記中央箇所のリブＲ１が対応し、左右両端側の２箇所の板材１ｃに前記両端側の２箇所のリブＲ２，Ｒ３が対応する。その他の板材１ｃには対応するリブは設けられていない。
【００２６】
各キャビネット１，２，３を結合して筺体を組み立てる場合は、先ず、図６に示すように、線材Ｓを前キャビネット１の各板材１ｃのスリット１ｃ１に順次挿入して保持させる。これにより、線材Ｓは配線方向に間隔をおいて設けられた板材１ｃによって保持される。なお、線材Ｓは例えば図示しないスピーカの入力端子と駆動回路の出力端子とを接続する配線である。次に、前キャビネット１に中間キャビネット２を嵌め込み、中間キャビネット２の後方から後キャビネット３を結合する。これにより、前記各リブＲ１，Ｒ２，Ｒ３の突条２ｃが対応する各板材１ｃのスリット１ｃ１の開口端から内部に嵌入して開口端を閉塞するので、各板材１ｃのスリット１ｃ１内に挿入された線材Ｓがスリット１ｃ１から外れることが防止される。
【００２７】
また、前キャビネット１に中間キャビネット２を結合した場合に、スリット１ｃ１と突条２ｃ及び連繋部２ｄとの位置関係については、図７に示すように、連繋部２ｄは板材１ｃに対向する位置から突条２ｃの条方向に偏移しているので、連繋部２ｄは板材１ｃに衝突せず、各突条２ｃは各スリット１ｃ１の開口端から内部にスムーズに嵌入することができる。
【００２８】
なお、上記の実施の形態１では、突条２ｃを備えたリブとして３つのリブＲ１，Ｒ２，Ｒ３を設けたが、中央箇所の１つのリブＲ１だけを設けるようにしてもよい。
【００２９】
実施の形態２
図８は本発明の実施の形態２に係る筺体の主要部を示す模式的断面図、図９は図８のＩＸ−ＩＸ線における断面図、図１０は本発明の実施の形態２に係る筺体の変形例を示す模式的断面図である。
実施の形態２では、中間キャビネット２に、前記突条２ｃ及び連繋部２ｄに代えて、スリット１ｃ１の開口端に隣接して、開口端を閉塞する部材２ｅを設けている点で実施の形態１と相違する。
【００３０】
部材２ｅは前キャビネット１と中間キャビネット２とが結合された場合に板材１ｃの板面と略平行な方向に伸び、スリット１ｃ１の開口端に隣接する。図８、図９には、部材２ｅは板状に形成され、部材２ｅの端部が板材１ｃの端部に対向する配置の例を示している。図１０には、部材２ｅの端部が板材１ｃの端部に対向する位置から板材１ｃの板面と略直交する方向に偏移した配置の例を示している。
【００３１】
上記の実施の形態では、各板材１ｃに複数（３個）のスリット１ｃ１を設けたが、板材１ｃに１個のスリット１ｃ１を設けるようにしてもよい。
【００３２】
上記の実施の形態では、複数の板材１ｃの一部に対してスリット１ｃ１の開口端を閉塞するように突条２ｃ又は部材２ｅを設けたが、全ての板材１ｃに対して突条２ｃ又は部材２ｅを設けるようにしてもよい。
【００３３】
上記の実施の形態では、本発明に係る筺体を表示装置に適用したが、表示装置以外の各種の電子機器等に適用することができる。
【符号の説明】
【００３４】
１      前キャビネット（筺体部材）
１ｃ    板材（線材保持部）
１ｃ１  スリット
２      中間キャビネット（筺体部材）
２ｃ    突条（閉塞部）
２ｄ    連繋部
２ｅ    部材（閉塞部）
３      後キャビネット（筺体部材）
Ｓ      線材
【図１】
2011210875.tif 000003
【図２】
2011210875.tif 000004
【図３】
2011210875.tif 000005
【図４】
2011210875.tif 000006
【図５】
2011210875.tif 000007
【図６】
2011210875.tif 000008
【図７】
2011210875.tif 000009
【図８】
2011210875.tif 000010
【図９】
2011210875.tif 000011
【図１０】
2011210875.tif 000012